(57)【要約】　　　（修正有）【課題】経済的に製造でき、使用が単純で、耐用年数が十分な、製品を収容するための容器を提供する。【解決手段】ほぼ円形の部材を少なくとも１つ有する容器１であって：ａ）第一ハウジング７を画定する第一部分３と；ｂ）容器１が閉状態にあるとき、前記円形部材に垂直な軸を中心に第一部分３に対してピボット回転し、可逆的に前記第一ハウジング７を覆うように設計された第二部分２０と；ｃ）ｉ）ピボット回転用機能とは別に、前記軸を中心にしたピボット回転以外の第一部分３に対する第二部分２０の動作を大幅に防止する機能を持つ第一ガイド構造と、ｉｉ）第一構造がガイド位置にあるとき、第二部分２０が第一部分３に対してピボット回転しないように可逆的に確実に固定されるように設計された第二構造と、を備えた、第一部分３と第二部分２０の連結によって形成された開閉メカニズムと；を備えた容器１。【選択図】　　図５
2004000517.tif 000002
【特許請求の範囲】
【請求項１】
特に化粧品などの製品を収容するための容器（１）であって、ほぼ円形の部材を少なくとも１つ有し：
ａ）第一ハウジング（７）を画定する第一部分（３）と；
ｂ）容器が閉状態にあるとき、前記円形部材に垂直な軸Ｘを中心に第一部分（３）に対してピボット回転し、可逆的に前記第一ハウジングを覆うように設計された第二部分（２０）と；
ｃ）ｉ）ピボット回転用機能とは別に、前記軸Ｘを中心にしたピボット回転以外の第一部分に対する第二部分の動作を大幅に防止する機能を持つ第一ガイド構造（１２，２５）と、
ｉｉ）第一構造がガイド位置にあるとき、第二部分が第一部分に対してピボット回転しないように可逆的に確実に固定されるように設計された第二構造（１１，２６）と、
を備えた、第一部分と第二部分の連結によって形成された開閉メカニズム（９−１２；２３−２６）と；
を備えた容器（１）。
【請求項２】
第二部分（２０）は底部（２１）を備え、第一ハウジング（７）の開口部（６）は端部（５）によって画定され、該端部は全体が該底部（２１）より下に位置することを特徴とする請求項１に記載の容器（１）。
【請求項３】
第一構造は、第一（または第二）部分に形成された凸部（１２）と、該凸部と契合するように設計された、第二（第一）部分に形成された少なくとも１つの溝（２５）を備え、これらは前記円形部材と平行であることを特徴とする請求項１または２に記載の容器（１）。
【請求項４】
溝（１つまたは複数）（２５）を画定する２つの縁は、第二（第一）部分に形成された表面（２８）に近づくほど互いに離れていき、容器を閉じたときに凸部（１２）が当該溝（または複数の溝の１つ）（２５）に契合するように広がっていることを特徴とする請求項３に記載の容器（１）。
【請求項５】
第二構造（１１，２６）はスナップ留めによる固定を確実にすることを特徴とする請求項１ないし４のいずれか１項に記載の容器（１）。
【請求項６】
第二構造は、第一（第二）部分に形成されたピボット軸Ｘに平行な溝（１１）と、該溝と契合するように設計された、第二（第一）部分に形成されたピボット軸Ｘに平行なフランジ（２６）を備えることを特徴とする請求項５に記載の容器（１）。
【請求項７】
開閉メカニズムは、第二部分を第一部分に対して第一方向に回転動作させることによってのみ容器を開けられる（または閉じられる）ようにし、第二部分を第一部分に対して該第一方向とは反対の方向に回転させても容器を開けられない（または閉じられない）ようにする手段（９，１０，２３，２４）を具備することを特徴とする請求項１ないし６のいずれか１項に記載の容器（１）。
【請求項８】
前記手段は、第一部分に形成された第一要素（９）と、第二部分に形成された第二要素（２３）からなり、第一要素は前記円形部材と平行でない第一表面（１０）を有し、第二要素は前記円形部材と平行でない第二表面（２４）を有し、該第一表面と該第二表面の形状は相補的であり、容器が閉位置にあるとき互いに接合することを特徴とする請求項７に記載の容器（１）。
【請求項９】
少なくとも開けるための所定の回転方向を示すために、特に少なくとも１つの矢印（１４，２７）での表示を設けることを特徴とする請求項７または８に記載の容器（１）。
【請求項１０】
第一要素（９）および第二要素（２３）の一方が、第一構造（１２，２５）の一部と第二構造（１１，２６）の一部を備え、他方が第一構造の残りの一部と第二構造の残りの一部を備えることを特徴とする請求項８に記載の容器（１）。
【請求項１１】
第二部分は、第二（または第一）部分に形成されたピン（２２）をヒンジとして、第一部分に対してピボット回転可能で、該ピンは、特にスナップ留めによって、第一（または第二）部分に形成された孔（８）に嵌合するように設計されていることを特徴とする請求項１ないし１０のいずれか１項に記載の容器（１）。
【請求項１２】
第二部分は第二ハウジング（３０）を画定し、蓋（４０）は取り外し可能な方法で第二ハウジングを覆うように設計されていることを特徴とする請求項１ないし１１のいずれか１項に記載の容器（１）。
【請求項１３】
第二ハウジング（３０）を覆う前記蓋（４０）を取り外さなくとも第一ハウジング（７）を利用することができるような構造であることを特徴とする請求項１２に記載の容器（１）。
【請求項１４】
第二ハウジング（３０）は、直接的または間接的に、前記製品を収容することを特徴とする請求項１２または１３に記載の容器（１）。
【請求項１５】
蓋（４０）は第二部分に螺合されることを特徴とする請求項１２ないし１４のいずれか１項に記載の容器（１）。
【請求項１６】
蓋（４０）は透明または半透明であることを特徴とする請求項１２ないし１５のいずれか１項に記載の容器（１）。
【請求項１７】
第一ハウジング（７）は、特にペンシル、ブラシ、発泡体ブロックまたはフェルトといった、前記製品を適用するための装置（１３）を収容することを特徴とする請求項１２ないし１６のいずれか１項に記載の容器（１）。
【請求項１８】
特に第一ハウジング（７）の底部に取り付けられた鏡（１５）を内蔵することを特徴とする請求項１ないし１７のいずれか１項に記載の容器（１）。
【請求項１９】
各構成要素は、ポリプロピレン、ポリスチレンアクリロニトリル（ＳＡＮ）から選定された１つ以上の熱可塑性物質を単独で、または、特にアクリロブタジエンスチレン（ＡＢＳ）といった少なくとも１つの別の熱可塑性物質と混合して、成形することによって得られることを特徴とする請求項１ないし１８のいずれか１項に記載の容器（１）。
【請求項２０】
特に頬紅、アイシャドウまたは口紅といった化粧製品を少なくとも１つ収容するための、請求項１ないし１９のいずれか１項に記載の容器（１）の使用方法。
【発明の詳細な説明】
【０００１】
【発明の属する技術分野】
本発明は、通常化粧品分野で特にメークアップ製品の収容に使用されるような容器に関する。
【０００２】
【従来の技術および発明が解決しようとする課題】
底部に連接される蓋を有する容器であって、当該連接により、ほぼ一平面上に位置する開口部につながるハウジングが画定される種類の容器がある。一般的に蓋は、開口部の平面と平行に、接続要素によって軸に沿って連接される。こういった閉メカニズムの質は、最新式であろうとなかろうと一般的に良好で、該閉メカニズムまたは該連接部の性能を大幅に低下させることなく、程度の差はあれ多数回にわたって開閉動作を繰り返すことができる。
こういった容器は高品質でコストが高いので、本来、特別な流通チャネルのためのものとされている。
【０００３】
もちろん、連接および開閉メカニズムのシステムの性能が劣る容器もあり、こういった容器は製造がより経済的だが、耐用期間が非常に短い。
【０００４】
また、画定されたハウジングの開口部の平面に対して垂直なヒンジピンを備えた入れ物または容器も知られている。
【０００５】
ＵＳ−Ａ−６１８６３４９では、２つの半殻の協働によって画定されるハウジングの中心にピボット回転の軸が設けられている。こういった構造は化粧製品の収容には適さない。
【０００６】
ＵＳ−Ａ−３４７６１２３に記載の容器は多数の円形要素を具備しており、これら円形要素は２つずつ互いに対して、これら円形部材の平面に垂直な軸を中心にピボット可能である。該要素は、シングルスナップ留めメカニズムで２つずつ接続されている。こういったシステムで耐用期間を長くするには、連接部を頑丈にする必要がある。
【０００７】
さらに、使用者が所定の動作以外の動作により容器を開けてしまうのを防ぐために、比較的高さのあるスナップ留め用凸部（および対応する溝）を設ける必要がある。残念ながら、容器は、容器を構成する様々な要素を所定の動作にしたがって互いに対して動かしたときに容易に開閉されなければならないことから、これらには限界がある。
【０００８】
ＵＳ−Ａ−１４６０９５０に記載のメークアップ製品用容器は、底部と、底部によって画定されたハウジングの開口部の平面に対して垂直な軸を中心に底部に対してピボットする中間要素とを備える。当該文献によると、底部上の中間要素は、底部に連接された蓋によって、回転しないように固定される。使用時の取り扱いは複雑で制約的であり、こういった容器の操作は不安である。製造コストは高い。
【０００９】
ＵＳ−Ａ−３３９２８６８に記載の容器は多数の円形要素を重ねてなり、これら円形要素は互いに対して、これら円形部材に垂直な軸を中心にヒンジ運動する。該軸を中心にしたピボット回転以外の相対的動作は、積み重なった円形要素の各端部に２つの固定要素が設けられていることによって防止される。
【００１０】
ＵＳ−Ａ−３１６１３１５には、上述した種類の複雑な開閉メカニズムを使用した容器が開示されている。こういった容器のコストは高い。
【００１１】
また、本発明の目的の１つは、従来の装置を参照して上述した問題を全てまたは部分的に解決する、特に化粧製品を収容するための容器を設計することである。
【００１２】
特に、本発明の目的の１つは、経済的に製造でき、使用が単純で、耐用年数が十分な用品を提供することである。
【００１３】
また別の目的は、以下の詳細な説明で明らかにする。
【００１４】
【課題を解決するための手段】
本発明によると、これらの目的は、ほぼ円形の部材を少なくとも１つ有する容器であって：
ａ）第一ハウジングを画定する第一部分と；
ｂ）容器が閉状態にあるとき、前記円形部材に垂直な軸を中心に第一部分に対してピボット回転し、可逆的に前記第一ハウジングを覆うように設計された第二部分と；
ｃ）ｉ）ピボット回転用機能とは別に、前記軸を中心にしたピボット回転以外の第一部分に対する第二部分の動作を大幅に防止する機能を持つ第一ガイド構造と、
ｉｉ）第一構造がガイド位置にあるとき、第二部分が第一部分に対してピボット回転しないように可逆的に確実に固定されるように設計された第二構造と、
を備えた、第一部分と第二部分の連結によって形成された開閉メカニズムと；を備えた、特に化粧品などの製品を収容するための容器を設計することによって達成される。
【００１５】
このように、それぞれ機能を有する２つの別個の構造を用いることによって、満足のいく方法で２つの機能を果たすことができ、一方の機能を優先したためにもう一方の機能が損なわれるということも起こらない。よって、第一構造は、不可逆的に容器を破損するリスクを冒さない限り、所定のピボット軸に垂直な軸を中心に一方の部分をもう一方の部分に対して回転させて容器を開けようとすることを困難とする。同様に、第二構造は、第一部分に対する第二部分のヒンジ運動を２つの回転方向、つまり固定位置から解除位置への方向とその逆、にのみ可能とするものであって、容器の用途に必要ななるべく容易な構造である。
【００１６】
好ましくは、第二部分は底部を備え、第一ハウジングの開口部は端部によって画定され、該端部は全体が該底部より下に位置する。
【００１７】
上記で参照したＵＳ−Ａ−１４６０９５０では、端部の半分が中間要素の底部より下に位置する。残りの半分は、それより上に位置する。
この構造では、底部によって画定された区画の有効な体積は、必然的に、端部の最も低い位置までに制限される。
【００１８】
有利には、第一構造は、第一（または第二）部分に形成された凸部と、該凸部と契合するように設計された、第二（第一）部分に形成された少なくとも１つの溝を備え、これらは前記円形部材と平行である。
溝の深さと凸部の高さは、溝と凸部が一旦互いに契合すると、不可逆的に容器を破損するリスクを冒さない限り、前記軸を中心にしたピボット回転以外の動作で、特に第一部分によって画定されたハウジングの開口部の平面と平行な軸を中心に「強制的に回転させること」によって、容器を開けることを防ぐのに十分なだけある。
例えば、使用者が通常の軸に垂直な方向への動作によって容器を開けようとした場合、溝の縁に、それに対応する凸部がぶつかる。溝の高さは約０．７ｍｍで、該溝の内部に契合する凸部の高さは約０．６ｍｍである。
この状態では、不可逆的に容器の構成要素のいずれかを破損しない限り、容器の上記円形部材に垂直なピボット軸を中心に第一部分を第二部分に対して回転させて容器を開くことはできない。
【００１９】
有利には、溝（１つまたは複数）を画定する２つの縁は、第二（第一）部分に形成された第一表面に近づくほど互いに離れていき、容器を閉じたときに凸部が当該溝（または複数の溝の１つ）に契合するように広がっている。２つの縁は、前記第一表面の反対側に向かって、凸部と溝の縁との間の隙間が最小となるまで幅が狭くなったあとは平行であってよい。
【００２０】
好ましくは、溝は第一表面と反対側の第二表面には開口しておらず、このことは、以下でさらに詳述する別の特徴とともに、容器が所定の方向と反対側に回転して開けられてしまうことを防止するのに役立つ。
【００２１】
あるいは、容器をいかなる回転方向にも開閉できるようにするために、溝を第二表面にも同様に開口させてもよい。
【００２２】
あるいは、容器をいかなる回転方向にも閉じることができ、閉じるために回転させた方向と反対方向に回転させることでのみ開けることができるようにするために、溝を２つ設けてもよい。２つの溝は容器の円形部材に平行な同一平面上に形成され、１つは第一表面に開口し、もう１つは第二表面に開口し、該２つの溝は共通の底部で隔てられているのが好ましい。
【００２３】
好適には、第二構造は前記固定をスナップ留めにより確実にする。通常、このようなスナップ留めは米粒形状のフランジとそれに対応する溝との契合によって確実になる。簡単に開閉できるように、これら両方の高さは比較的低い。一般的には、該「米粒」の高さは約０．３ｍｍである。
【００２４】
有利には、第二構造は、第一（第二）部分に形成された前記ピボット軸に平行な溝と、該溝と契合するように設計された、第二（第一）部分に形成された前記ピボット軸に平行なフランジを備える。
【００２５】
上記で示したように、開閉メカニズムは、所定の方向に回転動作させることによってのみ容器を開けられる（または閉じられる）ようにする手段を具備するのが好ましい。
こういった手段は、第一部分に形成された第一要素と、第二部分に形成された第二要素からなり、第一要素は前記円形部材と平行でない第一表面を有し、第二要素は前記円形部材と平行でない第二表面を有し、該第一表面と該第二表面の形状は相補的であり、容器が閉位置にあるとき互いに接合する。
【００２６】
好ましくは、第一および第二表面のいずれかを画定する第一要素および第二要素の一方が、第一構造の一部と第二構造の一部を備え、他方が第一構造の残りの一部と第二構造の残りの一部を備える。
【００２７】
第二要素の第二表面は、第二部分の底部を超えて形成された突出部の端部からなる。この突出部の内側表面には、第一部分に対する第二部分のピボット回転のための水平方向のガイド溝と、第一部分と第二部分のスナップ留めを確実にするための垂直方向のフランジとが形成されている。
【００２８】
少なくとも開けるための所定の回転方向を示すために、特に矢印での表示を設ける。第一部分には第一方向の第一矢印を付け、第二部分には第一方向と反対方向の第二矢印を付けるのが好ましい。
【００２９】
第二部分は、第二（または第一）部分に形成されたピンによって、第一部分に対してヒンジ運動するようにしてもよい。該ピンは、特にスナップ留めによって、第一（または第二）部分に形成された孔に嵌合するように設計されている。あるいは、特に金属製の接続ピンによってピボット軸を決定することもできる。
【００３０】
有利には、第二部分は第二ハウジングを画定し、蓋は取り外し可能な方法で第二ハウジングを覆うように設計されている。このような第二ハウジングは、第二部分の底部の周縁端から離れた位置に形成された短い環状スカート部によって画定されうる。
【００３１】
好適には、当該容器は、第二ハウジングを覆う前記蓋を取り外さなくとも第一ハウジングを利用することができるような構造である。上記文献ＵＳ−Ａ−１４６０９５０では、蓋を外さなければ第一ハウジングは利用できない。
【００３２】
さらに好適には、第二ハウジングは、直接的または間接的に、前記製品を収容する。実際、製品はハウジング内に直接注ぐまたは詰め込むことができ、または第二ハウジング内に取り外し可能にまたはその他の形態で取り付けられるカップに収容させて第二ハウジングで利用できるようにしてもよい。
【００３３】
好適な実施形態によると、蓋は第二部分に螺合される。蓋を外すための回転方向は、第一ハウジングを利用するために第二部分を第一部分に対してピボット回転させる方向と同一または反対にしてよい。
【００３４】
蓋は透明または半透明であるのが好ましい。メークアップ製品が第二ハウジングに収容されている場合、この特徴によって、使用者は蓋を通して製品の色を確認することができる。
【００３５】
さらなる好適な実施形態によると、第一ハウジングは、特にペンシル、ブラシ、発泡体ブロックまたはフェルトといった、前記製品を適用するための装置を収容する。
【００３６】
また、容器に鏡を組み込むこともでき、特に第一ハウジングの底部に取り付けてよい。こういった鏡は接着剤で取り付けることができる。
【００３７】
特定の実施例として挙げるが、各構成要素は、ポリプロピレン、ポリスチレンアクリロニトリル（ＳＡＮ）から選定された１つ以上の熱可塑性物質を単独で、または、特にアクリロブタジエンスチレン（ＡＢＳ）などの少なくとも１つの別の熱可塑性物質と混合して、成形することによって得られる。
【００３８】
本発明のまた別の好適な実施形態によると、容器は２つの部分：底部と蓋からのみなる。この場合、蓋は底部に対してピボット回転し、底部は例えば製品のための第一ハウジングとアプリケータのための第二ハウジングとを画定する。あるいは、アプリケータを小さな房状にし、製品と同じハウジング内の自由表面の最上部に設置してもよい。またさらには、容器はアプリケータを具備せず、指で製品を取り、適用することとしてもよい。
【００３９】
本発明による容器は、特に頬紅、アイシャドウまたは口紅といった化粧製品を少なくとも１つ収容するために有利に使用できる。
【００４０】
本発明は、上記の構造とは別に、添付の図面を参照して説明する非限定的な実施形態に関して以下に記述する他の多くの構造からなる。
【００４１】
図１、２、３（Ａ）、３（Ｂ）、４、５（Ａ）および５（Ｂ）に図示した実施形態の容器１は、一端が底部２によって閉鎖されている円形部材のカップ３を備える。カップ３の横壁４は自由端５の方向へと広がっており、該自由端は横壁４内に形成されたハウジング７の開口部を画定する。
【００４２】
カップ３は、ＳＡＮ（８０％）とＡＢＳ（２０％）からなる物質を成形して得られる。
【００４３】
カップ３は、その周縁端近傍に、スナップ留めでピンを受けるための孔８を備える（後に詳述する）。孔８は、円形部材カップ３の平面に垂直な軸Ｘの方向に形成される。
【００４４】
横壁４の外側表面には、図３（Ａ）に詳細に示したように、数度を超える角度で突出した隆起部９が、孔８の反対側に形成されている。隆起部９は底部２の反対側に表面１０を有し、該表面には、横壁４の軸方向の高さの約半分の高さに位置し、底部２とほぼ平行の第一部と、該第一部からカップ３の開口部６の方向に徐々に上昇する第二部とがある。
【００４５】
表面１０の第一部と第二部の接点辺りの、表面１０より上の位置において、横壁４にスナップ留め用溝１１が底部２の平面に垂直に形成される。溝の高さは約２ｍｍを超える。
【００４６】
溝１１の上方に、該溝と中心を同じくする凸部１２が横壁に形成されている。凸部はスナップ留め用溝１１に対して垂直で、長さは約３ｍｍである。
【００４７】
隆起部９の外部表面には、表面１０がカップ３の端部５に最も近づく部分の方を向く、カップ３の底部２に平行な矢印１４が付けられる。
【００４８】
ハウジング７は、アプリケータ１３を受けるように設計されており、当該特定の実施形態においては、アプリケータは、把持部材の端部にその長手方向に沿って毛状の房を取り付けてなるブラシである。
【００４９】
鏡１５は、ハウジング７の底部の内側表面に接着される。
【００５０】
図示した実施形態の容器１は、円形部材の中間要素２０を備える。
【００５１】
中間要素２０は底部２１を備える。底部２１の周縁端近傍には、スナップ留めでカップ３の孔８に嵌合するように設計されたピン２２が取り付けられる。
【００５２】
底部２１には、突出部２３がピン２２の反対側に形成されており、これらは、中間要素２０をカップ３上に載せたとき、カップ３の横壁４の形状とほぼ一致する。突出部２３は図３（Ｂ）に詳細に示した。
【００５３】
突出部２３の、底部２１と反対側の表面２４の形状は、カップ３の表面１０の形状と相補的であり、よって、カップ３に中間部材２０を被せると表面２４と表面１０はぴったり契合する。
【００５４】
突出部２３の内側表面には、中間要素２０でカップ３を閉じたときにカップ３に設けられた凸部１２を受けるように設計されたガイド溝２５が形成される。このために、溝２５は、突出部２３の横端部２８の一方に開口している。横端部２８付近の部分で、溝２５の縁はいずれかの方にわずかに狭まり、そこを越えたあとはほぼ平行となる。
【００５５】
突出部２３のガイド溝２５と表面２４の間の内側表面には、ガイド溝２５と垂直方向に米粒形状のフランジ２６が形成されており、該フランジはスナップ留めによってカップ３のスナップ留め用溝１１と契合するようにできている。
【００５６】
突出部２３の外側表面には、表面２４が底部２１から最も離れる部分の方を向く、底部２１に平行な矢印１４が付けられる。
【００５７】
中間要素２０は、底部２１の周縁端から離れた位置において底部２１の突出部２３が突出する方とは反対側に形成された環状スカート部２９を備える。
【００５８】
環状スカート部２９は底部２１とともに、例えば口紅などの適用すべき製品を収容するカップ３１を受けるように設計されたハウジング３０を画定する。カップ３１は、ハウジング３０内に接着またはスナップ留めすることができる。
【００５９】
環状スカート部２９の外側表面には、透明の蓋４０の内側表面に設けられたねじ山４２と協働するように設計されたねじ山３２が形成される。
【００６０】
中間要素２０は、ポリプロピレンを成形して得られる。
【００６１】
蓋４０は、ＳＡＮを成形して得られる。
【００６２】
当該実施形態による容器の組み立てと操作は、より簡単である。
【００６３】
容器を組み立てるには、ピン２２を孔８にスナップ留めし、蓋４０を中間要素２０に螺合する。
【００６４】
まずアプリケータ１３をハウジング７内に入れたあと、軸Ｘを中心に中間要素２０をカップ３に対して回転動作させ、カップ３の凸部１２を要素２０の溝２５に契合させて閉じる。
このとき、中間要素２０は、中間要素２０の底部２１がカップ３の開口部６の平面から大幅にずれないように、カップ３に対してピボット回転する。
【００６５】
このようなピボット回転は、中間要素２０のフランジ２６がカップ３の溝１１にスナップ留めされるまで続く。溝２５の深さと凸部１２の高さが比較的大きいために、このスナップ留めされた状態では、不可逆的に容器を破損しない限り、容器を閉める動作と反対の動作を行う以外の方法で容器を開けることは不可能である。当該容器が閉状態にあるときの開閉メカニズムの当該構造を図５（Ｂ）に詳細に示した。
【００６６】
ヒンジ部は、例えば、溝２５と凸部１２と正反対の位置にある。
【００６７】
開けるときには、閉じるときと同様の動作が起こるが、関与しあう部分の一方のもう一方に対する相対的な動作の方向は閉じるときとは逆になり、このことは、表面１０と２４が相補的なことによるものである。
【００６８】
使用者は、容器を開けアプリケータ１３を手に取ることができる。次いで、蓋４０を回転させて外し、アプリケータ１３を使って製品を取り、従来の方法でそれを適用する。もちろん、先に蓋４０を外してから、アプリケータの入っているハウジング７を利用するために開口部６を開放することもできる。
【００６９】
上述の詳細な説明ではいくつかの本発明の好適な実施形態を説明した。特許請求の範囲に記載された発明の技術思想から逸脱することなく、これらを修正することができることは明らかである。
【図面の簡単な説明】
【図１】本発明の好適な実施形態による容器の分解立体図である。
【図２】閉状態にある図１の容器を示した図である。
【図３】図３（Ａ）および（Ｂ）は、図１および２の容器の開閉メカニズムを構成する第一および第二構造を詳細に示した図である。
【図４】図１、２、３（Ａ）および（Ｂ）の容器の半分解立体図である。
【図５】図５（Ａ）および（Ｂ）は、図２に示した容器の断面図と、容器が閉位置にあるときの開閉メカニズムを詳細に示した図である。
【符号の簡単な説明】
１　　　容器
２　　　底部
３　　　カップ／第一部分
４　　　横壁
５　　　自由端
６　　　開口部
７　　　ハウジング
８　　　孔
９　　　隆起部
１０　　表面
１１　　溝
１２　　凸部
１３　　アプリケータ
１４　　矢印
１５　　鏡
２０　　中間要素／第二部分
２１　　底部
２２　　ピン
２３　　突出部
２４　　表面
２５　　ガイド溝
２６　　フランジ
２７　　矢印
２８　　横端部
２９　　環状スカート部
３０　　ハウジング
３１　　カップ
３２　　ねじ山
４０　　蓋
４２　　ねじ山
【図１】
2004000517.tif 000003
【図２】
2004000517.tif 000004
【図３】
2004000517.tif 000005
【図４】
2004000517.tif 000006
【図５】
2004000517.tif 000007